(57)【要約】【課題】入力操作を伴う各種電子機器に関し、入力操作部への簡素で判り易い操作で所望アイコンの選択操作ができるものを提供することを目的とする。【解決手段】電子機器としてのリモートコントロール送信機３１の入力操作部１２の操作面形状を、主に使用するメニュー画面における各種アイコン４５の配列表示状態に即した形状で設け、かつ、その操作状態としても操作面上を上記アイコン４５の配列方向に合う方向に摺動操作して上記メニュー移動などを行い所望アイコン４５の選択を可能としたため、簡素で判り易い操作性に優れたものとなる。【選択図】図１
2005094595.tif 000002
【特許請求の範囲】
【請求項１】
表示部に複数の各種アイコンから構成されるメニューが表示され、入力操作部への操作に基づき、その中から所望アイコンの選択操作ができる電子機器であって、上記入力操作部は、操作面に対し摺動操作を行って所定信号が得られるものであると共に、その操作面の形状が、主に使用する上記メニュー画面における上記各種アイコンの配列表示状態に即した形状で設けてある電子機器。
【請求項２】
主に使用するメニュー画面における各種アイコンの配列表示状態が、円形またはリング状の配列表示であり、入力操作部の操作面が、それに即した略円形の外形に設けられた請求項１記載の電子機器。
【請求項３】
主に使用するメニュー画面における各種アイコンの配列表示状態が、直線的な移動操作を伴って使用する配列表示であり、入力操作部の操作面が、上記直線的な移動操作方向に即した方向への摺動操作可能な形状領域部分を有する請求項１記載の電子機器。
【請求項４】
入力操作部の操作面が、略小判形状または楕円形状の外形で設けられた請求項３記載の電子機器。
【請求項５】
表示部に複数の各種アイコンから構成されるメニューが表示され、入力操作部への操作に基づき、その中から所望アイコンの選択操作ができる電子機器であって、上記入力操作部は、操作面に対し摺動操作を行って所定信号が得られるものであると共に、その操作面には凹凸が設けられており、上記凹凸が、主に使用する上記メニュー画面における所望アイコンの選択操作方向に応じた方向に沿って配された電子機器。
【発明の詳細な説明】
【技術分野】
【０００１】
本発明は、携帯電話やリモートコントロール（以下、リモコンと記載）装置などの携帯機器やＡＶ・ＯＡ機器など、入力操作を伴う各種電子機器に関するものである。
【背景技術】
【０００２】
近年、各種電子機器が普及し、その操作を行うための入力形態として現在では操作状態が実感できる押し釦方式のものが多く用いられている。
【０００３】
このような従来の押し釦方式の電子機器について、以下に、リモートコントロール送信機（以下、リモコン送信機と記載）を例として、図８を用いて説明する。
【０００４】
図８は従来のリモコン送信機の斜視図であり、同図において、１は絶縁樹脂製の筐体、２Ａや２Ｂは同じく絶縁樹脂製の操作キーで、筐体１上面から操作キー２Ａや２Ｂ上部が上下動可能に突出している。
【０００５】
また、筐体１内には複数の導電パターンが形成された配線基板（図示せず）が位置決めして収納されると共に、その配線基板上面には、操作キー２Ａや２Ｂ等の押圧操作によって電気的接離を行う複数のスイッチ接点（図示せず）が形成されている。
【０００６】
さらに、この配線基板には、複数のスイッチ接点に接続されて所定の電気信号を出力するマイコン等からなる制御手段３が実装されていると共に、発光ダイオード等の他の各種電子部品（図示せず）も装着され、上記制御手段３の制御で上記発光ダイオードから所定のリモコン信号が送信されるよう送信手段４が構成されている。
【０００７】
従来のリモコン送信機は、以上のように構成され、その動作としては、当該リモコン送信機を、対応するテレビやビデオ等の電子機器に向け、複数の操作キー２Ａの、例えば選局用や音量切換用等のキーを押圧操作すると、この押圧された操作キー下方のスイッチ接点が電気的接離を行い、制御手段３がこの押圧された操作キーを検出して、これに対応した赤外線のリモコン信号が送信手段４から電子機器へ送信される。
【０００８】
そして、このリモコン信号を電子機器の受信手段（図示せず）が受信し、機器の制御手段の制御によって、当該電子機器の受信局の切換や音量の増減等が行われる。
【０００９】
また、電子機器のブラウン管や液晶表示素子等の表示部（図示せず）に、例えば、複数のアイコンからなる画質調整用等のメニューが表示された状態で、対応する操作キー２Ｂの一つを押圧操作すると、上記表示部に表示されたカーソル（図示せず）等が、押圧された操作キーに対応した方向へ移動して、メニューの中から所望アイコンの位置選択や決定が行われ、画質調整等が操作できるように構成されているものであった。
【００１０】
なお、この出願の発明に関連する先行技術文献情報としては、例えば、特許文献１が知られている。
【特許文献１】特開２００１−３２０７８９号公報
【発明の開示】
【発明が解決しようとする課題】
【００１１】
しかしながら、上記従来の電子機器であるリモコン送信機においては、電子機器が高機能化・多様化されるにつれて操作キーの数が増え、操作が複雑化してきており、これに対して使用者からは、表示部に表示される各種アイコンの中からの所望アイコンの選択操作が、入力操作部への簡素で判り易い操作で可能なものが要望されることも多かった。
【００１２】
本発明は、このような従来の課題を解決するものであり、入力操作部への簡素で判り易い操作で所望アイコンの選択操作ができる電子機器を提供することを目的とする。
【課題を解決するための手段】
【００１３】
上記目的を達成するために本発明は、以下の構成を有するものである。
【００１４】
本発明の請求項１に記載の発明は、表示部に複数の各種アイコンから構成されるメニューが表示され、入力操作部への操作に基づき、その中から所望アイコンの選択操作ができる電子機器であって、上記入力操作部は、操作面に対し摺動操作を行って所定信号が得られるものであると共に、その操作面の形状が、主に使用する上記メニュー画面における上記各種アイコンの配列表示状態に即した形状で設けてある電子機器としたものであり、例えば現在位置を示すカーソルを操作に応じた方向で連続移動させる制御を行うと、入力操作部の操作面上を、その形状に沿って摺動操作するという自然な動作で所望アイコンを選択でき、簡素で感覚的に非常に判り易くて使い易いものにできるという作用を有する。
【００１５】
請求項２に記載の発明は、請求項１記載の発明において、主に使用するメニュー画面における各種アイコンの配列表示状態が、円形またはリング状の配列表示であり、入力操作部の操作面が、それに即した略円形の外形に設けられたものであり、片手で持って親指などで操作する携帯機器などでは、円弧を描くような無理の無い操作をするのみで所望アイコンの選択ができ、また、アイコンの配置位置と操作面上の円周位置とを対応させておいて、操作面上からの押圧操作のみでも所望アイコンの選択ができるものも得られるという作用を有する。
【００１６】
請求項３に記載の発明は、請求項１記載の発明において、主に使用するメニュー画面における各種アイコンの配列表示状態が、直線的な移動操作を伴って使用する配列表示であり、入力操作部の操作面が、上記直線的な移動操作方向に即した方向への摺動操作可能な形状領域部分を有するものであり、繰り返して当該形状部分に直線的な摺動操作をすることにより、表示部内の状態が所定方向でスクロール操作されたり、積み上げ表示されたバー表示の表示状態の変移等が行える使い易いものが得られるという作用を有する。
【００１７】
請求項４に記載の発明は、請求項３記載の発明において、入力操作部の操作面が、略小判形状または楕円形状の外形で設けられたものであり、円周方向および直線方向での摺動操作を可能とする各々の形状部分を有するコンパクトな入力操作部を備えたものが得られるという作用を有する。
【００１８】
請求項５に記載の発明は、表示部に複数の各種アイコンから構成されるメニューが表示され、入力操作部への操作に基づき、その中から所望アイコンの選択操作ができる電子機器であって、上記入力操作部は、操作面に対し摺動操作を行って所定信号が得られるものであると共に、その操作面には凹凸が設けられており、上記凹凸が、主に使用する上記メニュー画面における所望アイコンの選択操作方向に応じた方向に沿って配設された電子機器としたものであり、例えば現在位置を示すカーソルを上記操作に応じた方向で連続移動させる制御を行うと、上記凹凸に沿って指を移動させるのみという自然な摺動動作で所望アイコンを選択でき、感覚的に非常に使い易いものにできるという作用を有する。
【発明の効果】
【００１９】
以上のように本発明によれば、主に使用するメニュー画面における各種アイコンの配列表示状態に応じ、摺動操作タイプの入力操作部の形状などが設定されているため、上記表示されたアイコンの中から所望アイコンを、自然な動作で簡易に操作性良く選択できる電子機器を実現できるという有利な効果が得られる。
【発明を実施するための最良の形態】
【００２０】
以下、本発明の実施の形態について、図１〜図７を用いて説明する。
【００２１】
なお、従来の技術の項で説明した構成と同一構成の部分には同一符号を付して、詳細な説明を簡略化する。
【００２２】
（実施の形態１）
実施の形態１を用いて、本発明の特に請求項１，２，５記載の発明について説明する。
【００２３】
なお、当該実施の形態も、従来の技術の項と同様に、リモートコントロール送信機（以下、リモコン送信機と記載）を事例として以下に説明する。
【００２４】
図１は本発明の第１の実施の形態による電子機器としてのリモコン送信機の斜視図であり、同図において、１１は、絶縁樹脂製の箱型の筐体で、その上面の中央位置には、上面視で円形リング形状の操作面を有する入力操作部１２が配設されている。
【００２５】
この入力操作部１２は、操作面の上面から指などで摺動操作をすると、その操作に伴って連続した信号が得られる構成となっている。
【００２６】
なお、この入力操作部１２を構成する電子部品の形態は、特に制限されるものではないが、抵抗層と導電層が対向配置されたメンブレンタイプや感圧方式のものなどが薄形軽量に構成できるため好ましい。
【００２７】
そして、以下には上記メンブレンタイプのものを用いた場合について説明するが、当該メンブレンタイプのものは、図２のブロック図に示すように、可撓性フィルムに形成されたリング状の抵抗層１３と導電層１４が所定間隔を空けた対向状態で配置されて構成されたものとなっている。
【００２８】
なお、抵抗層１３が配された可撓性フィルム上には、回転規制された操作体が配され、操作面を構成しているが、詳細な説明や図示は省略する。
【００２９】
一方、筐体１１の内部には、従来同様に複数の導電パターンが形成された配線基板（図示せず）が位置決めして収納され、その配線基板には、マイコン等からなる制御手段２１が実装されていると共に、発光ダイオード等の他の各種電子部品（図示せず）も装着され、その制御手段２１の制御で上記発光ダイオードから所定のリモコン信号が送信されるよう送信手段２２が構成されている。
【００３０】
また、制御手段２１は、上記入力操作部１２を構成する抵抗層１３と導電層１４にも接続され、その入出力信号を制御している。
【００３１】
以上のように構成される本実施の形態によるリモコン送信機３１において、操作対象となる電子機器４１（以下、機器４１と記載）としては、図３に示すようテレビジョン受像機のように本体部に表示部４２を有するものが挙げられ、この本体部に配された受信手段４３で、リモコン送信機３１から送信される信号を受信し、その信号を機器４１の制御手段（図示せず）で制御して、表示部４２の表示状態などが切り換えられるものに適合する。
【００３２】
なお、当該機器４１内には、機器自身の機能を作動させるための各種部材や電子部品などが配設されているが説明は省略する。
【００３３】
そして、当該機器４１における表示部４２内に表示された複数の各種アイコンから構成されたメニューから、上記リモコン送信機３１への所定操作で所望アイコンの選択が行える点は従来と同様であるが、その操作性は、容易かつ簡素に行えるものとなっている。
【００３４】
すなわち、本実施の形態によるリモコン送信機３１は、上述したように入力操作部１２の操作面が、上面視で円形リング形状に配されているが、その形状は、機器４１のメニューとして、主に使用する上記メニュー画面における各種アイコンの配列表示状態に即した形状で設けてあるからである。
【００３５】
例えば、テレビジョン受像機である機器４１では、よく使用する操作機能としてチャンネル選択操作があるが、近年、ケーブルテレビなども普及し、チャンネル数も増加傾向で、このようなものであっても、所望チャンネルを簡素な操作で選択することができる構成となっている。
【００３６】
その使用状態について説明すると、当該機器４１のチャンネル選択操作時には、まず、図４に示すように、チャンネル選択用メニューおよび現在の選択位置を示すカーソル４４を表示部４２内に表示させる。
【００３７】
このチャンネル選択用メニューは、同図に示すように、チャンネルが各々のアイコン４５に構成され、その各アイコン４５が、平面的に傾斜した円形リングに沿う配列となるように配置された構成をなし、かつ、その前方側に位置するアイコン４５は大きい外形で、また後方側にいくにつれて小さい外形で表示されている。
【００３８】
なお、図中においては、カーソル４４位置を斜線部で示すが、その選択位置は、常に前方中心位置に設定されている。
【００３９】
そして、上記リモコン送信機３１を用いて、上記チャンネル選択用メニューから所望チャンネルである所望アイコン４５を選択操作するが、その際に操作するリモコン送信機３１の入力操作部１２の操作面形状が、上記チャンネル選択用メニューの各アイコン４５の配列状態に即するものとしてある点が、操作性に大きく寄与するものである。
【００４０】
その操作状態について説明すると、使用者は、チャンネル選択用メニューおよびカーソル４４が表示部４２に表示された状態で、リモコン送信機３１の入力操作部１２の操作面上を円周方向に向けて摺動操作する。
【００４１】
この摺動操作により、入力操作部１２は、操作体を介してリング状の抵抗層１３が、摺動操作位置を中心として部分的に下方に下がって導電層１４に接触し、かつその摺動操作状態に伴って、上記接触位置は、リングの円周方向で推移していく。
【００４２】
この接触位置を検出するため、リモコン送信機３１の制御手段２１は、抵抗層１３の少なくとも三箇所以上設けられた導出部の内、二つを選択して所定電圧を印加し、導電層１４の導出部から第一の電圧値を取り出す。
【００４３】
さらに、続いて上記と異なる二つの導出部を選択して、同様に所定電圧を印加して導電層１４の導出部から第二の電圧値を取り出す。
【００４４】
そして、制御手段２１は、その各々の印加状態で得られた導電層１４の導出部からの各電圧値を比較演算し、一致する箇所を接触位置として識別する。
【００４５】
なお、上記接触位置は、摺動操作位置に応じて移動していくため、その接触位置検出は所定の短時間内で行われ、制御手段２１は、その順次変移していく検出結果に応じた所定のリモコンデータを送信手段２２から送信する制御を行う。
【００４６】
そして、上記送信データは、機器４１の本体部に配された受信手段４３で受信された後、機器４１の制御手段（図示せず）で判別され、表示部４２の表示状態などが遷移する。
【００４７】
例えば、図４に示すチャンネル９（図中ではＣＨ．９と記載）がカーソル４４位置で合わさっている状態から、チャンネル１２（図中ではＣＨ．１２と記載）を選択する場合には、入力操作部１２の操作面上を右回りの円周方向に摺動操作する。
【００４８】
これにより、リモコン送信機３１から対応するリモコンデータが発信され、このデータを受信した機器４１の制御手段は、図４に示す右回りの矢印のように、各アイコン４５からなるリング状に配列されたチャンネル選択用メニューを、上記摺動操作方向と同一方向の円周方向にリング形状を保ったままで回転させ、前方中央位置に設定されたカーソル４４位置に順次各チャンネルを移動させていく制御を行う。
【００４９】
このとき、各アイコン４５となるチャンネルの外形も、上記操作に伴う移動に伴って変化し、常に前方側は大きい外形、そこから後方に向かうにつれて小さい外形で表示される制御がなされており、使用者にとって所望アイコン４５であるチャンネル１２をカーソル４４位置に合わせることは容易である。
【００５０】
このように、本実施の形態によるものは、各アイコン４５からなるメニューを、リング状の配列状態を保ったままで回転させて所望アイコン４５をカーソル４４位置に合わせる選択操作が、メニューを移動させたい円周方向と同一方向での入力操作部１２への摺動操作で行うことができるため、自然で感覚的に使い易いものとなる。
【００５１】
また、各アイコン４５の位置を適宜視認しつつ、円周操作距離を調節できるため、必要な操作量も感覚的に識別し易く、簡易な操作で良好に所望アイコン４５となるチャンネルをカーソル４４位置に合わせることができる。
【００５２】
なお、機器の各メニューにおいて、アイコン配列状態はメニュー毎で異なることも多いが、入力操作部１２の外形を、使用頻度の高いメニューのアイコン配列状態に合わせたものとしてあれば使用者の使い勝手は向上される。
【００５３】
また、本実施の形態によるものは、上記円形リングに配列されたメニュー以外に、楕円などの外形が円形状で配列されたメニューにも適合可能である。
【００５４】
さらに、入力操作部１２への円周方向での操作時に、摺動操作方向と操作角度に応じた信号のみを送信してもよく、この場合でも、摺動操作の始点位置に拘わらず、機器４１側は、それに伴う摺動操作方向および希望する角度分ほどメニューを回転制御することが可能である。
【００５５】
なお、メニュー内の各アイコン４５の数が多い場合、例えば、図４においてチャンネル数の多い場合には、上記摺動操作距離が長く必要となる場合も発生するが、繰り返して同一円周方向に摺動操作するのみでよいので操作性はさほど劣化しない。
【００５６】
もしくは、その改善策として、所望アイコン４５位置に対応する入力操作部１２の位置近傍を押圧操作して所定の押圧操作位置信号を送信させ、機器４１側で、その押圧操作位置信号の場所に位置するアイコン４５近傍部分を前方中央位置に設定されたカーソル４４位置にまで自動で回転させる制御を行い、その後、続けて上記円周方向に摺動操作するものとすればよい。
【００５７】
このときは、押圧操作後に続けて円周方向への摺動操作が行われることを前提として、上述した摺動操作方向と操作角度のみを判別し、それに応じた信号でメニューの表示状態を制御することが好ましい。
【００５８】
なお、アイコン４５の数が少ない場合には、メニュー表示状態でのアイコン４５の配置位置と入力操作部１２の円周位置関係を対応させて、押圧操作のみで所望アイコン４５の選択を行うようにしてもよい。
【００５９】
そして、上記のようにしてカーソル４４位置に所望アイコン４５が合わさった状態で、使用者は、決定キーを押してリモコン信号を発信させ、所望アイコン４５を確定させる。
【００６０】
この決定キーは、入力操作部１２の中央位置に配してあっても、他の部分に配してあってもよい。
【００６１】
なお、別体の決定キーを設けると誤操作が防止できて好ましいが、入力操作部１２の信号を用いて決定信号とすることも可能である。
【００６２】
つまり、入力操作部１２の操作面上の所定位置を押圧し続けた状態とすると、当該入力操作部１２からは、同一の押圧操作位置信号が出力されることとなり、この同一の押圧操作位置信号が得られる時間幅を予め設定しておき、その所定時間を超える場合に決定信号を送信するように制御手段２１で判定を行えば良い。
【００６３】
以上のように、本発明によるものは、表示部４２内に表示される各アイコン４５の表示配列状態において、所望アイコン４５を選択するためにメニューを回転させたい方向に合わせて、入力操作部１２の操作面上を同一円周方向に向けて基本的に摺動操作するのみという簡素で感覚的にも判り易い操作で所望アイコン４５が選択できる。
【００６４】
また、当該リモコン送信機３１のような携帯機器は、片手で持って操作されるが、このような使用状態であっても、入力操作部１２の操作面上を、親指などで円弧を描くような無理の無い操作をするのみで所望アイコン４５の選択ができるので、操作性は良好である。
【００６５】
なお、上記に説明した外形が円形リング状の操作面とされた入力操作部１２に対し、円周方向での摺動操作が補助できるよう、その周囲に位置する筐体１１部分などに段差などを設けると、さらに操作性は向上する。
【００６６】
また、外形円形以外の入力操作部であっても、入力操作部上面に、メニューのアイコン配列状態に即した形状の凹凸部分が設けられているものは、凹凸部分に沿って摺動操作が可能となるため、上記同様の作用効果のものとなる。
【００６７】
つまり、円形以外の操作面とされた入力操作部であっても、その上面に円形リング状の凹凸が形成されたものとすれば、上記に説明した機器４１に適合するものにでき、また、その凹凸は、操作面に直接形成してあってもよいが、貼り替え可能なシール部材などで構成してあってもよい。
【００６８】
なお、上記円周方向での操作に対応し、カーソル４４位置が上記摺動操作方向に移動する構成であってもよい。
【００６９】
（実施の形態２）
実施の形態２を用いて、本発明の特に請求項３，４記載の発明について説明する。
【００７０】
本実施の形態によるものは、実施の形態１によるものに対し、入力操作部の操作面の形状が異なり、実施の形態１の構成と同一構成の部分には同一符号を付して、詳細な説明を省略する。
【００７１】
図５は本発明の第２の実施の形態による電子機器としてのリモコン送信機の斜視図、図６は同操作対象機器の操作状態を示す図であり、同図に示すように、本実施の形態によるリモコン送信機５０の入力操作部５１は、操作面形状が、上面視で縦長リング状の小判形状に配設されている。
【００７２】
その縦長リング状の小判形状としては、左右の側辺部が、互いに平行関係に配された所定幅の直線部で各々構成され、その上端どうし及び下端どうしが、上記直線部と同じ幅での円弧部で各々繋がれて構成されている。
【００７３】
そして、この入力操作部５１も、実施の形態１のものと同様に、操作面の上面側から摺動操作して使用できるメンブレンタイプのもので構成され、その入出力信号などを含めて制御手段２１で制御されている。
【００７４】
その他の構成は、実施の形態１の場合と同じであるため、説明は省略する。
【００７５】
さらに、このリモコン送信機５０に対応する電子機器６１（以下、機器６１と記載する）は、前述の図４に示した各アイコン４５が円形リング形状の配列状態で配置されたメニューが表示部６２に表示されて使用できることも実施の形態１の場合と同じである。
【００７６】
そして、本実施の形態による機器６１は、上記各アイコン４５が円形リング形状の配列状態に配置されたメニューに加え、横長のアイコン４６が、上下方向に積み上げ表示されて構成される他のメニュー形態を有するものともなっており、リモコン送信機５０は上記両メニューに操作性良く対応するものとなっている。
【００７７】
その横長のアイコン４６の例としては、携帯電話では電話番号簿等、そしてＡＶ機器では、図７に示す各アイコン４６としての複数本のバーが積み上げ表示されて構成される明るさ調整用メニューなどが挙げられる。
【００７８】
なお、この積み上げ表示されたメニューは、機器６１の表示部６２内に所定区間のみが表示され、その全体を、上下方向に向けてスクロール操作して使用するものであってもよい。
【００７９】
そして、本実施の形態によるリモコン送信機５０は、各アイコン４５が円形リング等に配列されたメニューの操作時には、入力操作部５１の操作面における円弧部などを所望の円周方向に向けて摺動操作し、表示部６２に表示された円形リング状態で配列されたメニューを摺動操作方向に応じた方向に回転させ、またはカーソル移動を行い、所望アイコン４５とカーソル４４の位置を、感覚的に判り易く、かつ簡素に合わせて選択できることは実施の形態１の場合と同じである。
【００８０】
一方、横長のアイコン４６が、上下方向に積み上げ表示されて構成されるメニューの場合、例えば上記図７の明るさ調整用メニューの操作をする際には、使用者は、積み上げ表示されたバー選択位置を上下方向に移動させるため、操作面が小判形状となされた入力操作部５１において、左右の縦長の直線部のいずれかを、希望する上または下方向に向けて摺動操作する。
【００８１】
この操作状態を判別した制御手段２１は、その操作方向および操作距離に応じた方向で、バー表示状態を増減させるというリモコン信号を送信手段２２から発信させる。
【００８２】
そして、そのリモコン信号を受信手段６３で受信した機器６１は、それに応じた制御を行い、画質の明るさが設定される。
【００８３】
なお、上記事例は、色彩変更などがされて選択状態と視認できる最上端位置のバー位置がカーソル位置に相当するものであるが、単純にアイコン４６が行列形式で表示され、その中からカーソル移動などをして所望のものを選択する方式のものであってもよい。
【００８４】
以上のように、入力操作部５１の操作面が略小判形状であれば、直線部を直線的に摺動操作する操作形態も含むものにできるため、操作バリエーションが広がり、積み上げ表示されて構成されるメニュー形態のものからも所望アイコンの選択が感覚的に判り易く、かつ簡易で良好に行えるものにでき、その配設面積などもコンパクトなものとなる。
【００８５】
なお、上記縦方向への直線的摺動操作に対応する入力操作部の操作面形状としては、縦長の小判形状のものに限らず、楕円形状のものであっても、同様に曲率半径の大きい部分を直線的に摺動操作して使用することが可能であり、そのような直線的な摺動操作が行える領域を備えた形状のものであれば、上記同様の効果が得られるものとなる。
【００８６】
また、直線的な摺動操作が必要なメニューとして、上下以外の方向に各アイコンが配列されたものに対しては、その配列方向と整合する直線的な方向で摺動操作が可能な操作面領域を有する入力操作部のものであれば、同様な効果が得られる。
【００８７】
例えば、左右への横方向操作に応じた入力操作部の操作面形状としては、横長の小判形状や楕円形状のものなど、横方向に直線的に摺動操作距離が取れる形状であればよい。
【００８８】
また、上下方向および左右方向への直線的摺動操作の両者が必要である場合には、入力操作部の操作面形状を、所定幅で外形方形に構成すればよい。
【００８９】
なお、上記実施の形態１および２では、テレビジョン受像機とリモコン送信機を例として説明したが、表示部と入力操作部は一体化されていても、別体で構成されていてもよく、また、他の各種電子機器であってもよい。
【００９０】
さらに、入力操作部への摺動操作性を向上させるように、その操作面を傾斜させて設けるなどしてあってもよい。
【産業上の利用可能性】
【００９１】
本発明による電子機器は、表示部内に表示されたメニューを構成するアイコンの中から所望のものを、自然な動作で簡易かつ操作性良く選択操作できるという効果を有し、携帯電話やリモートコントロール装置などの携帯機器やＡＶ・ＯＡ機器などの各種電子機器において、表示部内のアイコン選択操作を行うものに有用である。
【図面の簡単な説明】
【００９２】
【図１】本発明の第１の実施の形態による電子機器としてのリモートコントロール送信機の斜視図
【図２】同構成を模式的に示すブロック図
【図３】同操作対象機器の操作状態を示す図
【図４】同操作対象機器の表示部にチャンネル選択用メニューが表示された状態を示す図
【図５】本発明の第２の実施の形態による電子機器としてのリモートコントロール送信機の斜視図
【図６】同操作対象機器の操作状態を示す図
【図７】同操作対象機器の表示部に明るさ調整用メニューが表示された状態を示す図
【図８】従来のリモコン送信機の斜視図
【符号の説明】
【００９３】
１１  筐体
１２，５１  入力操作部
１３  抵抗層
１４  導電層
２１  制御手段
２２  送信手段
３１，５０  リモートコントロール送信機
４１，６１  電子機器
４２，６２  表示部
４３，６３  受信手段
４４  カーソル
４５，４６  アイコン
【図１】
2005094595.tif 000003
【図２】
2005094595.tif 000004
【図３】
2005094595.tif 000005
【図４】
2005094595.tif 000006
【図５】
2005094595.tif 000007
【図６】
2005094595.tif 000008
【図７】
2005094595.tif 000009
【図８】
2005094595.tif 000010